(57)【特許請求の範囲】
【請求項１】
火災等の異常を検出する検出器を監視する防災監視設備の受信機であって、
前記受信機に設けられ、前記検出器又は前記受信機の保守点検のための試験の試験項目を選択する操作部と、
前記操作部で選択された前記試験項目を示す情報を表示する表示部と、
音声案内スイッチと、
スピーカと、
前記音声案内スイッチの操作に応答して、前記表示部に表示された前記試験項目の内容を案内するための音声データに基づく音声ガイドを前記スピーカから発生させる制御部と、
を備え、
前記試験項目に関連付けられたタスクコードと音声データとが対応付けられた音声データテーブルを備える記憶部をさらに有し、
前記制御部は、前記音声案内スイッチが操作された際に、前記表示部に表示された前記試験項目の前記タスクコードに対応する前記音声データを前記音声データテーブルから抽出することを特徴とする受信機。
【発明の詳細な説明】
【技術分野】
【０００１】
本発明は、受信機に関する。
【背景技術】
【０００２】
従来、火災報知設備において、受信機から引き出された専用の回線に、固有の識別子が付与された複数の火災感知器が接続されている。火災感知器は、火災を検出した場合に識別子を含む火災検出信号を受信機に送信する。受信機は、火災感知器から供給される火災検出信号に基づいて音響装置を鳴動させることで火災警報を実施する。
【０００３】
また、火災報知設備の施工時や保守点検時に、作業者は受信機や火災感知器等の動作確認を実施する必要がある。例えば、火災感知器の動作確認を実施する場合、作業者は受信機から火災感知器を擬似的に動作させ、火災検出信号の有無を受信機で確認する（特許文献１参照）。
【先行技術文献】
【特許文献】
【０００４】
【特許文献１】特開２００１−１１８１６４号公報
【発明の概要】
【発明が解決しようとする課題】
【０００５】
しかしながら、従来の受信機には、火災感知器や音響装置の動作試験の種々操作を行う複数の試験スイッチが設けられている。したがって、作業者は、複数の試験スイッチの中から所望の動作試験の項目に対応した上記試験スイッチを操作することにより、所望の動作試験を実施する。このため、動作試験の項目が増加するにつれて試験スイッチの数が増加するため、受信機の操作部の面積が増大し、且つ高コスト化してしまう。また、試験スイッチの増加を抑制するために、複数の試験スイッチの組み合わせで動作試験の項目を選択する方法が考えられる。しかし、この方法では、取扱説明書を参照しながら動作試験の項目に対応した試験スイッチを選択する必要があり操作が煩雑になる場合がある。
【０００６】
本発明は、このような事情に鑑みてなされたもので、その目的は、試験スイッチの数を削減し、操作の煩雑さを軽減することが可能な受信機を提供することである。
【課題を解決するための手段】
【０００７】
本発明の一態様は、火災等の異常を検出する検出器を監視する防災監視設備の受信機であって、前記受信機に設けられ、前記検出器又は前記受信機の保守点検のための試験の試験項目を選択する操作部と、前記操作部で選択された前記試験項目を示す情報を表示する表示部と、音声案内スイッチと、スピーカと、前記音声案内スイッチの操作に応答して、前記表示部に表示された前記試験項目の内容を案内するための音声データに基づく音声ガイドを前記スピーカから発生させる制御部と、を備え、前記試験項目に関連付けられたタスクコードと音声データとが対応付けられた音声データテーブルを備える記憶部をさらに有し、前記制御部は、前記音声案内スイッチが操作された際に、前記表示部に表示された前記試験項目の前記タスクコードに対応する前記音声データを前記音声データテーブルから抽出することを特徴とする受信器。
【発明の効果】
【０００９】
以上説明したように、本発明によれば、スイッチの数を削減し、操作の煩雑さを軽減することが可能な受信機を提供することができる。
【図面の簡単な説明】
【００１０】
【図１】本実施形態の受信機３０の概略構成の一例を示す図である。
【図２】本実施形態の操作パネル３３の概略構成の一例を示す図である。
【図３】本実施形態における制御部３４の概略構成の一例を示す図である。
【図４】本実施形態におけるタスクコードと機能試験の項目との関係を概念的に示す図である。
【図５】本実施形態における表示情報テーブルの一例を示す図である。
【図６】本実施形態における音声データテーブルの一例を示す図である。
【発明を実施するための形態】
【００１１】
図１は、本実施形態の受信機３０の概略構成の一例を示す図である。
本実施形態の受信機３０は、火災等の異常を検出する検出器５を検出回線Ｌ１〜Ｌｎに接続して監視する防災監視設備の受信機である。受信機３０は、操作部３３１、表示部３３０、スピーカ３３２及び制御部３４を備える。操作部３３１は、受信機３０の操作パネル３３に設けられ、検出器５や受信機３０等の防災監視設備の保守点検のための試験（以下、「機能試験」という。）の試験項目を選択する。表示部３３０は、操作部３３１により選択された試験項目を示す情報を表示する。制御部３４は、操作部３３１の音声案内スイッチ５０の押下に応答して、表示部３３０に表示された試験項目の内容を説明するための音声データを音声としてスピーカ３３２から発生させる。
以下に、本実施形態の受信機について、具体的に説明する。なお、受信機は大きく分類して、Ｐ（Proprietary Type）型受信機と、Ｒ（Record Type）型受信機に分けられるが、以下では、本実施形態の受信機がＰ型受信機である場合を例として説明する。
【００１２】
図１に示すように、本実施形態の受信機３０は、ｎ（ｎは整数）階の建物に設置され、火災やガス漏れ等の災害の発生を検知する。そして、受信機３０は、検知した災害の発生を建物内の人々に報知する。また、受信機３０は、自動火災報知設備の自動点検機能として各種の試験機能を備える。例えば、試験機能としては、検出器５又は受信機３０の保守点検のための試験であり、蓄積機能試験、検出器回線障害表示、警報回線障害表示及び検出器５の作動表示灯点灯試験が含まれる。また、試験機能として、規格化された電源等試験（詳細は後述する）、伝路試験、火災表示試験及び予備電池試験を含んでもよい。
【００１３】
蓄積機能試験は、受信機３０が検出器５からの災害検出信号を検出してから災害検出信号の検出を一定時間以内継続した場合に、火災警報を出力する動作タイマーをチェックする試験である。検出器回線障害表示は、検出回線Ｌに障害が発生しているか否か全検出回線Ｌを一括でチェックする機能である。障害とは、例えば断線である。検出回線Ｌに障害が発生している場合には、受信機３０に備える第１障害表示灯（不図示）が点灯する。警報回線障害表示は、警報回線Ｍに障害が発生しているか否か全警報回線Ｍを一括でチェックする機能である。警報回線Ｍに障害が発生している場合には、受信機３０に備える第２障害表示灯（不図示）が点灯する。検出器５の作動表示灯点灯試験は、任意の検出器５に対して作動表示灯が点灯するか否かを確認する試験である。作動表示灯は、各検出器５にそれぞれ備えられている。電源等試験は、受信機３０内の各部の電圧計測，外部常用電源（不図示）の電圧計測並びに過負荷保護装置（不図示）の動作状態チェックや記憶装置の状態チェックなどを行なうものである。伝路試験は、回線等の異常検出を行なうものである。火災表示試験は、火災感知器に火災試験コマンドを送出して、火災表示の試験を行なうものである。予備電池試験とは、予備電池（不図示）の電圧をチェックして予備電池が正常であるか異常であるかの検出処理を行なうものである。
【００１４】
検出器５は、建物の各階の天井や壁に配置されている。具体的には、検出器５は、１台又は複数台の検出器５がそれぞれ法定の設置間隔で各階に配置されている。検出器５は、検出回線Ｌ（検出回線Ｌ１〜Ｌｎ）を介して受信機３０に接続されている。各々の検知回線Ｌ１〜Ｌｎには、任意数の検出器５が並列接続されている。
【００１５】
検出器５は、火災やガス漏れ等の災害を検知する。検出器５は、火災やガス漏れ等の災害を検知すると、災害検出信号を出力する。本実施形態では、検出器５は火災を検知する火災感知器である場合について説明するが、これに限定されない。例えば、検出器５は、中継器でもよいし、発信機でもよい。検出器５は、所定の区画の煙濃度又は温度を検出し、検出した煙濃度又は温度が所定の閾値を超えた場合に火災が発生したと判断する。検出器５は、火災の発生を検知した場合に、火災の発生を示す火災検出信号（災害検出信号）を検出回線Ｌを介して受信機３０に出力する。
【００１６】
地区音響装置６は、建物の各階の壁に配置されている。具体的には、検出器５は、各階の所定の警報区域に配置されている。地区音響装置６は、警報回線Ｍ（警報回線Ｍ１〜Ｍｎ）を介して受信機３０に接続されている。地区音響装置６は、警報回線Ｍを介して受信機３０から地区音響信号が供給されることにより警報音を出力する。例えば、警報音はベル音や音声警報である。
【００１７】
受信機３０は、受信部３１、出力部３２、操作パネル３３、制御部３４及び記憶部３５を備える。
受信部３１は、各検出回線Ｌ１〜Ｌｎを介して検出器５に接続されている。受信部３１には、火災を検出した検出器５から火災検出信号が供給される。
出力部３２は、制御部３４から供給される制御信号に基づいて、地区音響装置６に地区音響信号を出力する。
【００１８】
操作パネル３３は、表示部３３０、操作部３３１及びスピーカ３３２を備える。本実施形態の操作パネル（防災監視盤）３３について図面を参照して説明する。
図２は、本実施形態の操作パネル３３の概略構成の一例を示す図である。
図２に示すように、表示部３３０は、火災代表灯４０、地区表示部４１及び表示器４２を備える。
【００１９】
火災代表灯４０は、検出回線Ｌ１〜Ｌｎを介して各地区の検出器５のいずれかから供給される災害検出信号を受信した場合に点滅する。例えば、火災代表灯４０は、１色ＬＥＤで構成される。
【００２０】
地区表示部４１（４１(１)〜４１(２０)）は、各検出回線Ｌ１〜Ｌｎに対応して設けられている。制御部３４は、検出器５から災害検出信号を取得した場合、当該検出器５に接続された検出回線Ｌ１〜Ｌｎに対応する地区表示部４１を点滅させる。
地区表示部４１（４１(１)〜４１(２０)）は、検出回線の選択状態を表示する機能を備えている。例えば、地区表示部４１（４１(１)〜４１(２０)）は、受信機３０が災害検出信号を取得した場合、災害検出信号を発報した検出器５の検知区域に対応した地区表示部４１(１)〜４１(２０)を赤色の点滅により表示する。例えば、地区表示部４１（４１(１)〜４１(２０)）の各々には、赤色のＬＥＤ（Light Emitting Diode）が備えられている。
【００２１】
表示器４２は、機能試験の試験項目を選択する保守操作モードである場合、操作部３３１により選定された機能試験の試験項目を表示する。例えば、表示器４２は、複数の７セグメント表示器を使用した表示器である。
【００２２】
操作部３３１は、音声案内スイッチ５０及び保守操作部５１を備える。
音声案内スイッチ５０は、表示器４２に表示された機能試験の試験項目の内容を音声によりガイダンスする場合に作業者により操作されるスイッチである。作業者により音声案内スイッチ５０が押下されると、音声案内スイッチ５０は、自身が押下されたことを示す音声案内信号を制御部３４に出力する。これにより、表示器４２に表示された機能試験の試験項目の内容がスピーカ３３２から音声で出力される。
【００２３】
保守操作部５１は、試験表示スイッチ５２、選択スイッチ５３及び決定スイッチ５４を備える。
試験表示スイッチ５２は、受信機３０を保守操作モードに移行させる場合に作業者により操作されるスイッチである。試験表示スイッチ５２が押下されると、試験表示スイッチ５２は、自身が押下されたことを示す機能試験移行信号を制御部３４に出力する。
【００２４】
選択スイッチ５３は、機能試験の試験項目を選択する場合に作業者により操作されるスイッチである。具体的には、選択スイッチ５３が押下されると、選択スイッチ５３は、自身が押下されたことを示す選択信号を制御部３４に出力する。ここで、選択スイッチ５３が押下される毎に表示器４２に表示される機能試験の試験項目が変更される。したがって、作業者は、選択スイッチ５３を操作しながら表示器４２に表示される機能試験の試験項目を確認し、所望の試験項目を選択する。例えば、選択スイッチ５３は、番号をインクリメントするアップキー又は番号をデクリメントするダウンキーを備えてもよい。
【００２５】
決定スイッチ５４は、操作部３３１による選択された機能試験を実行する場合に作業者により操作されるスイッチである。選択された機能試験とは、表示器４２に表示された機能試験の試験項目である。決定スイッチ５４が操作されると、決定スイッチ５４は、自身が操作されたことを示す決定信号を制御部３４に出力する。これにより、操作部３３１により選択された機能試験が実行される。
【００２６】
制御部３４は、音声案内機能及び表示機能を備える。音声案内機能は、保守操作部５１により選択された試験項目の内容をスピーカ３３２から音声として出力する機能である。表示機能は、操作部３３１により選定された機能試験の試験項目の情報を表示器４２に表示させる機能である。以下、本実施形態における制御部３４の音声機能及び表示機能の構成を説明する。図３は、本実施形態における制御部３４の概略構成の一例を示す図である。
制御部３４は、コード管理部３４１、表示制御部３４２、音声制御部３４３及び試験実施部３４４を備える。
【００２７】
コード管理部３４１は、複数の機能試験の中から特定の機能試験を選択する。特定の機能試験とは、作業者により保守操作部５１で選択された機能試験である。具体的には、コード管理部３４１は、機能試験の項目毎に対応付けられたタスクコード中から作業者により保守操作部５１で選択された機能試験のタスクコードを選択する。図４は、本実施形態におけるタスクコードと機能試験の項目との関係を概念的に示す図である。例えば、タスクコード「１」は、蓄積機能試験を示し、タスクコード「２」は、検出器回線障害表示を示し、タスクコード「３」は、作動表示灯点灯試験を示す。このように、タスクコードは、機能試験の項目毎に割り当てられた機能試験の項目を示す固有のコードである。例えば、コード管理部３４１は、試験表示スイッチ５２から機能試験移行信号が供給されると、保守操作モードに移行する。そして、コード管理部３４１は、選択スイッチ５３から選択信号を供給される毎にタスクコードの番号を上げ下げ（増減）する。すなわち、コード管理部３４１は、選択信号を取得する毎に所定の順番でタスクコードの番号を変更する。例えば、選択スイッチ５３がアップキー又はダウンキーを備えている場合、コード管理部３４１は、アップキーが押下されることで選択スイッチ５３から選択信号が供給されると、現在選択しているタスクコードに対してインクリメントした番号のタスクコードを新たに選択する。一方、コード管理部３４１は、ダウンキーが押下されることで選択スイッチ５３から選択信号が供給されると、現在選択しているタスクコードに対してデクリメントした番号のタスクコードを新たに選択する。
【００２８】
表示制御部３４２は、コード管理部３４１が選択しているタスクコードに対応した表示情報を表示器４２に表示させる。例えば、表示制御部３４２は、コード管理部３４１が選択しているタスクコードに対応した表示情報を記憶部３５に記憶されている表示情報テーブルから取得する。図５は、本実施形態における表示情報テーブルの一例を示す図である。図５に示すように、表示情報テーブルは、タスクコード毎に表示情報を対応づけた構造を備える。表示情報とは、表示器４２に表示させる情報である。したがって、作業者は、選択スイッチ５３を操作しながら表示器４２に表示される表示情報を確認することで、選択スイッチ５３で選択した機能試験の試験項目を把握することができる。
【００２９】
音声制御部３４３は、音声案内スイッチ５０から供給される音声案内信号を取得すると、コード管理部３４１が選択しているタスクコードに対応した音声データをスピーカ３３２から出力させる（音声ガイド）。例えば、音声制御部３４３は、音声案内スイッチ５０から供給される音声案内信号を取得するとコード管理部３４１が選択しているタスクコードに対応した音声データを記憶部３５に記憶されている音声データテーブルから取得する。そして、音声制御部３４３は、音声データテーブルから取得した音声データをスピーカ３３２に出力する。音声データは、自身が対応付けられたタスクコードが示す試験項目を説明する音声データである。図６は、本実施形態における音声データテーブルの一例を示す図である。図６に示すように、音声データテーブルは、タスクコード毎に音声データを対応づけた構造を備える。例えば、音声制御部３４３は、音声案内スイッチ５０から供給される音声案内信号を取得した際に、コード管理部３４１が選択しているタスクコードが「１」である場合、「一般感知器の蓄積機能を試験します。」という音声をスピーカ３３２から出力させる。例えば、音声制御部３４３は、音声案内スイッチ５０から供給される音声案内信号を取得した際に、コード管理部３４１が選択しているタスクコードが「２」である場合、「検出器回線の障害を表示します。」という音声をスピーカ３３２から出力させる。例えば、音声制御部３４３は、音声案内スイッチ５０から供給される音声案内信号を取得した際に、コード管理部３４１が選択しているタスクコードが「３」である場合、「検出器の作動表示灯を点灯試験します。」という音声をスピーカ３３２から出力させる。したがって、作業者は、音声案内スイッチ５０を操作することで、表示器４２に表示される表示情報が示す機能試験を説明する音声をスピーカ３３２に出力させることができる。これにより、作業者は、表示器４２に表示される表示情報が示す機能試験が判らない場合に、表示器４２に表示される表示情報が示す機能試験を説明する音声を聞くことで、選択スイッチ５３で選択した機能試験の試験項目を把握することができる。
【００３０】
試験実施部３４４は、決定スイッチ５４から供給される決定信号を取得するとコード管理部３４１が選択しているタスクコードが示す機能試験を実行する。なお、受信機３０は、試験実施部３４４がコード管理部３４１により選択されたタスクコードが示す機能試験を終了した後も保守操作モードを継続してもよい。すなわち、コード管理部３４１が選択しているタスクコードが示す機能試験を終了した後、作業者は、再度選択スイッチ５３を操作しながら表示器４２に表示される機能試験の試験項目を確認し、所望の試験項目を選択することができる。保守操作モードを終了させる場合には、作業者は決定スイッチ５４の下にある取消ボタンを操作することで、保守操作モードを終了させることができる。すなわち、受信機３０は、作業者により取消ボタンが操作されることでタスクコードを選択できない状態に移行する。
【００３１】
上述の実施形態において、受信機３０は、音声案内スイッチ５０の押下に応答して、表示部３３０に表示された試験項目の内容を説明するための音声データを音声としてスピーカ３３２から発生させる。具体的には、受信機３０の制御部３４は、音声案内スイッチ５０が押下された際に、表示器４２に表示された試験項目のタスクコードに対応する音声データを記憶部３５に記憶された音声データテーブルから抽出する。制御部３４は、抽出した音声データを音声としてスピーカ３３２から発生させる。これにより、受信機３０は、従来の受信機と比較して試験項目毎にスイッチ（試験スイッチ）を配置する必要がないため、操作パネル３３の面積の増大を防止し、且つ低コスト化を実現できる。また、受信機３０は、表示部３３０に表示された試験項目の内容を説明するための音声データをスピーカ３３２から発生させることができるため、取扱説明書を参照しながら試験項目を選択する必要がない。これにより、試験スイッチの数を削減し、操作の煩雑さを軽減することが可能となる。
【００３２】
なお、上述の実施形態において、受信機３０は、データ登録モードを備えてもよい。Ｐ型の受信機３０におけるデータ登録モードでは、回線の種別設定又は空き回線設定を実施することができる。例えば、回線の種別設定は、火報回線種別設定、防排煙回線種別設定及び警報回線種別設定を備える。火報回線種別設定は、複数の回線の中から火報回線を設定するモードである。防排煙回線種別設定は、複数の回線の中から防排煙回線を設定するモードである。警報回線種別設定は、複数の回線の中から警報回線を設定するモードである。空き回線設定は、複数の回線の中から未使用の回線（空き回線）を設定するモードである。したがって、受信機３０は、データ登録モードにおいて、現在の設定項目が火報回線種別設定、防排煙回線種別設定、警報回線種別設定及び空き回線設定の中のどの設定項目であるかを示す情報を表示器４２に表示させてもよい。また、その際、作業者により音声案内スイッチ５０が押下された場合、受信機３０は、表示器４２に表示された設定項目の内容をスピーカ３３２から音声で出力する。これにより、受信機３０は、表示器４２に表示された設定項目の内容をスピーカ３３２から音声で出力することができるため、取扱説明書を参照しながらデータ登録モードにおける設定項目を選択する必要がない。すなわち、作業者は、表示器４２に表示された設定項目が、火報回線種別設定、防排煙回線種別設定、警報回線種別設定及び空き回線設定の中のどの設定項目であるかを取扱説明書を参照しなくても把握することができる。以下に、本実施形態における表示器４２に表示させる設定項目の情報の一例を説明する。
【００３３】
例えば、表示器４２は、第１表示部と第２表示部とを備える。第１表示部は、複数の７セグＬＥＤ表示器を備えている。第２表示部は、複数の７セグＬＥＤ表示器を備えている。例えば、表示器４２は、基本設定の情報を表示する場合には第１表示部に「１−」を表示し、詳細設定の情報を表示する場合には第１表示部に「２−」を表示する。例えば基本設定は、回線の種別設定や空き回線設定等である。例えば、詳細設定は、障害音響の有り・無しの設定や警報入力時における音響の有り・無しの設定である。表示器４２は、第１表示部に表示した設定の各項目に対応した情報を第２表示部に表示する。例えば、表示器４２に火報回線種別設定の情報を表示する場合、第１表示部に「１−」を表示し、第２表示部に「０１」を表示する。また、表示器４２に防排煙回線種別設定の情報を表示する場合、第１表示部に「１−」を表示し、第２表示部に「０２」を表示する。なお、第２表示部に表示する情報は、上記設定項目を識別する識別番号であれば特に限定されない。
【００３４】
Ｒ型の受信機３０におけるデータ登録モードでは、各回線にどのような感知器又は中継器が接続されているかを設定することができる。すなわち、データ登録モードは、各回線の設置場所を示すアドレスと感知器の識別子との対応関係を設定するモードである。例えば、データ登録モードは、火災感知器を設定するモードＭｏｄｅ１、煙感知器を設定するモードＭｏｄｅ２、中継器を設定するモードＭｏｄｅ３及び地区音響装置を設定するモードＭｏｄｅ４の４つの設定モードを備える。したがって、受信機３０は、データ登録モードにおいて、表示器４２に現在の設定モードが上記４つの設定モードＭｏｄｅ１〜４のどの設定モードであるかを示す情報を表示させてもよい。また、その際、作業者により音声案内スイッチが押下された場合、受信機３０は、表示器４２に表示された設定モードＭｏｄｅ１〜４のいずれかの設定モードの内容をスピーカ３３２から音声で出力する。これにより、受信機３０は、表示器４２に表示された設定モードＭｏｄｅ１〜４のいずれかの設定モードの内容をスピーカ３３２から音声で出力することができるため、取扱説明書を参照しながら上記設定モードを選択する必要がない。
【００３５】
上述した実施形態における受信機３０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３６】
以上、この発明の実施形態を図面を参照して詳述してきたが、具体的な構成は上述の実施形態に限られるものではなく、この発明の要旨を逸脱しない範囲の設計等も含まれる。
【符号の説明】
【００３７】
５  検出器
６  地区音響装置
３０  受信機
３１  受信部
３２  出力部
３３  操作パネル
３４  制御部
３５  記憶部
３３０  表示部
３３１  操作部
３３２  スピーカ
３４１  コード管理部
３４２  表示制御部
３４３  音声制御部
３４４  試験実施部
【図１】
0006548012.tif 000002
【図２】
0006548012.tif 000003
【図３】
0006548012.tif 000004
【図４】
0006548012.tif 000005
【図５】
0006548012.tif 000006
【図６】
0006548012.tif 000007